(57)【要約】【課題】本発明の目的は、チケットの引き戻しを防止することであり、さらに、検知された後のチケットを再カウントされないようにすると共に後工程への搬送処理を容易にすることである。【解決手段】チケット受け入れ口の近傍に配置したニップ搬送装置によってチケットを取り込んで処理装置によって所定の処理を行うチケット処理装置において、ニップ搬送装置の少なくとも一方が保持ベルトであって、その保持ベルトは他方のニップ体に対し面接触する。【選択図】図４
2004133818.tif 000002
【特許請求の範囲】
【請求項１】
チケット受け入れ口（３）の近傍に配置したニップ搬送装置（１９）によってチケット（１５）を取り込んで処理装置（２０）によって所定の処理を行うチケット処理装置において、
ニップ搬送装置（１９）の少なくとも一方が保持ベルト（２１）であって、その保持ベルト（２１）は他方のニップ体（２２）に対し面接触することを特徴とするチケット処理装置。
【請求項２】
他方のニップ体がニップローラ（２２）であり、保持ベルト（２１）が一対のローラ（２６、２７）に巻きかけられ、ニップローラ（２２）が前記一対のローラ（２６、２７）間に配置され、前記ニップローラ（２２）に保持ベルト（２１）が面接触する請求項１のチケット処理装置。
【請求項３】
前記ニップローラ（２２）と対をなすローラ（５４）と、それらローラとの間に配置した搬送装置（５０）と処理装置（２０）とを含む請求項２のチケット処理装置。
【請求項４】
前記ニップローラ（２２）が保持ベルト（２１）から離れる方向に移動可能である請求項２のチケット処理装置。
【請求項５】
処理装置（２０）がチケットの間歇損傷装置（６１）である請求項３のチケット処理装置。
【請求項６】
間歇損傷装置（６１）が、互い違いに組み合わされた一対のローター（６２、６３、７４、７５）であり、チケット（１５）がそれらローター（６２、６３、７４、７５）の周面間を通過するよう配置された請求項５のチケット処理装置。
【請求項７】
処理装置（２０）がチケットのセンサ（５７）である請求項３のチケット処理装置。
【発明の詳細な説明】
【０００１】
【発明が属する技術分野】
本発明は、チケットの処理装置に関する。
特に、ゲーム機等から発行されたチケットをカウント処理、又は、処理済みを表す目視可能な処理をし、又は両処理を行うチケット処理装置に関する。
なお、本明細書で使用する「チケット」は、ゲーム機から払い出されたポイントチケット、乗車券、入園券、証券、クーポン等を包含する。
【０００２】
【従来の技術】
この種装置は、米国特許第５２１１０９３号により知られている。
すなわち、ドライビングホイールとアイドルホイールとよりなるホイールの組を一対配置し、それらホイール間にチケットのセンサとローターリーカッタとが配置されている。
【０００３】
この従来装置は、タイヤ型のドライブホイールとアイドルホイールとの間にチケットを挟みこんで引き込むため、微視的に見ればチケットは線で挟まれているので、チケットの保持力が小さい。
さらに、この従来装置において、チケットは再びカウントされないようセンサで検知された直後にロータリーカッターによって縦長に切断され、分割される。
【０００４】
【発明が解決しようとする課題】
従来装置は、保持力が小さいため、カウントされたチケットを引き戻す不正が行われる可能性がある。
保持力を大きくするため、ホイール間の圧接力を増加しようとしても限界があり、また、大圧力に耐える軸受構造にせねばならず、高価である。
また、分離されたチケットを後工程に搬送するため、大掛かりな装置が必要になるというデメリットがある。
【０００５】
本発明の第１の目的は、チケットの引き戻しを防止することである。
本発明の第２の目的は、検知された後のチケットが再カウントされないようにすると共に後工程への搬送処理を容易にすることである。
【０００６】
【課題を解決するための手段】
この目的を達成するため、本発明にかかるチケット処理装置は以下のように構成されている。
チケット受け入れ口の近傍に配置したニップ搬送装置によってチケットを取り込んで処理装置によって所定の処理を行うチケット処理装置において、ニップ搬送装置の少なくとも一方が保持ベルトであって、その保持ベルトは他方のニップ体に対し面接触することを特徴とするチケット処理装置。
【０００７】
この構成において、保持ベルトはニップ体に面接触し、チケットはこれらの間に保持され、引き込まれる。
したがって、チケットは、保持ベルトとニップ体に面接触するので、低圧接力であっても保持力が大きく、チケットの引き出しを防止できる。
また、軸受構造は低圧力用のものでよく、安価である。
【０００８】
本発明は、他方のニップ体がニップローラであり、保持ベルトが一対のローラに巻きかけられており、ニップローラが一対のローラ間に配置され、前記ニップローラに保持ベルトが面接触することが好ましい。
【０００９】
この構造は、一対のローラとニップローラとを近づけることにより保持ベルトがニップローラに面接触するとともに、それらの間の圧接力を調整できる。
したがって、ニップローラと保持ベルトとの間に引き込まれるチケットは、これらの間に面接触で挟まれるので、保持力が大きく、引き戻されることがない。
また、ニップローラと一対のローラに巻きかけたベルトという簡単な構成なので、安価である。
【００１０】
本発明は、ニップローラと対をなすローラと、それらローラとの間に配置した搬送装置と処理装置とを含むことが好ましい。
この構成において、ニップローラと保持ベルトで引き込んだチケットは、搬送装置によって強制的に搬送されて処理装置によりカウント処理や、損傷処理が行われ、確実に処理を行うことができる。
【００１１】
本発明は、ニップローラが保持ベルトから離れる方向に移動可能であることが好ましい。
この構成において、ニップローラを保持ベルトから離すことができるので、これらの間に挟まれたチケットを開放することができ、ジャムしたチケットを容易に取り出すことができる。
【００１２】
本発明は、処理装置がチケットの間歇損傷装置であることが好ましい。
この構成において、処理装置は、間歇的にチケットに損傷を与えるので、その損傷がチケットに孔を開ける場合であっても、チケットは分離することなく連続している。
したがって、チケットを連続的に搬送できるので、チケット処理後の搬送が容易である。
【００１３】
本発明は、間歇損傷装置が、互い違いに組み合わされた一対のローターであり、チケットがそれらローターの周面間を通過するよう配置されていることが好ましい。
この構成において、間歇損傷装置が一対のローターであるため、構成が簡単である。
また、カッターでないため、メンテナンスの際に誤って接触しても怪我をすることがない。
【００１４】
本発明は、処理装置がチケットのセンサであることが好ましい。
この構成において、センサからの信号に基づいてチケットをカウントできる効果がある。
【００１５】
【発明の実施の形態】
図１は、実施例のチケット処理装置を内蔵したチケットカウンタの全体斜視図である。
図２は、図１のチケットカウンタの断面図である。
図３は、実施例のチケット処理装置の斜視図である。
図４は、実施例のチケット処理装置のブラケット等を取り外した右側面図である。
図５は、実施例の図４におけるＡ―Ａ線断面図である。
図６は、実施例のチケット処理装置の左側面図である。
【００１６】
図１において、チケット受け入れ装置であるチケットカウンタ１は、箱型の筺体２にチケットの挿入口３、その上にスタートボタン４、その上方にカウント数の表示装置５が縦方向に列をなして配置され、その側方にプリンタの払い出し口６が位置し、背面下部に案内パイプ７が垂直に固定されている。
挿入口３は、利用者が処理しようとするチケット１５の挿入口である。
【００１７】
このチケット１５は、例えばゲーム機の勝利時にゲーム機から払い出されるチケットである。
このチケット１５は、縦長に連続しているが、横断する断続切り込み１６によって一枚ずつ分離可能であるとともに、連続するチケットに跨って断続切り込み１６に連なる孔１７が穿孔されている。
【００１８】
また、孔１７の両サイドには、Ｖ状の切り欠き１８が形成され、連なるチケット１５をその長手方向に引っ張ることにより、切り欠き１８を起点に断続切り込み１６の接続部を破断して分離することができる。
筺体２内には、挿入口３に続いて筺体の底８に固定されたチケット処理装置９が配置されている。
【００１９】
チケット処理装置９の排出部の下方にほぼ水平に配置されたベルト（図示せず）を含む処理済チケット搬送装置１１が底８に固定されている。
搬送装置１１は、チケット処理装置９と連動し、モーター１２から駆動ベルト１３を介して図２においてその上側ベルトが右方に進行するよう駆動される。
この上側ベルトの進行により、その上に落下した処理済チケット１５が排出口１４に向けて搬送される。
搬送装置１１の排出口１４は、案内パイプ７の上部の側方に配置され、搬送された処理済チケット１５が案内パイプ７に落下し、外部のシュレッダー等の処理装置に案内されるようになっている。
【００２０】
次にチケット処理装置９を説明する。
本実施例においてチケット処理装置９は、受け入れたチケット１５を次工程に搬送するニップ搬送装置１９と、チケットの処理装置２０とを含んでいる。
ニップ搬送装置１９は、保持ベルト２１と、ニップ体であるニップローラ２２とを含んでいる。
【００２１】
保持ベルト２１は、底８に垂直に固定されたベース２３にほぼ水平に取り付けられた平行するシャフト２４、２５にそれぞれ回転可能に取り付けられた一対のローラ２６と２７に巻きかけられている。
シャフト２４は、ベース２３とブラケット２８に相対して形成されたアングル形の保持溝２９と３１に保持されている。
【００２２】
すなわち、保持溝２９と３１は、シャフト２５から離れる方向に伸びた後、鋭角に屈曲し、保持溝３１は解放されている。
したがって、ニップローラ２２が保持ベルト２１に圧接していない場合、保持ベルト２１は緩んでいるのでシャフト２４は、保持溝２９、３１を移動可能であり、保持溝３１の解放部３２から外した後、ベース２３から取り外すことができる。
【００２３】
ローラ２６と２７との間であって、シャフト２４、２５とほぼ平行にベース２３に取り付けられたシャフト３３に、ニップローラ２２が回転自在に取り付けられている。
ニップローラ２２は、ステンレス等の金属製であり、後述の搬送装置用のベルト溝３４、３５が平行に形成されている。
ニップローラ２２は、リリース装置４０を備えている。
【００２４】
すなわち、シャフト３３に、ベース２３とブラケット２８のそれぞれに相対可能に小径部４２、４３が形成されている。
ベース２３とブラケット２８には、相対する位置にシャフト３３の大径部４４と密着して填り合う軸受孔４５、４６が穿孔されている。
その軸受孔４５、４６に連続してベルト２１から離れる方向に伸び、その幅が小径部４２、４３よりも僅かに大きい長孔４７、４８が形成されている。
【００２５】
シャフト３３のブラケット２８から突出する端部に裁頭円錐状のつまみ４９が固定さている。
シャフト３３のベース２３から突出する他端部にはスプリング（図示せず）が掛けられ、図５において常時左方に引っ張られている。
したがって、シャフト３３の大径部４４が軸受孔４５、４６に嵌合している場合、シャフト３３はブラケット２３、２８に対し固定状態である。
【００２６】
操作つまみ４９を親指と人差し指と中指で撮んで図５において右方へ引っ張っり、小径部４２、４３が軸受孔４５、４６に相対したとき、その小径部４２、４３は相対する長孔４７、４８に移動することができる。
すなわち、シャフト３３及びニップローラ２２は、保持ベルト２１から離れる方向に移動することができる。
これにより、ニップローラ２２が保持ベルト２１から離れ、或いは圧接力が小さくなり、挟持されているチケット１５を取り除くことができる。
【００２７】
したがって、ニップローラ２２は、シャフト３３が軸受孔４５、４６に支持されている場合、ローラ２６と２７との間の保持ベルト２１に圧接し、弧状に面接触する。（図４参照）
ニップローラ２２とローラ２７とは同一径であり、それらの側面に固定したギア４７、４８が噛み合っている。
ニップ搬送装置１９の下流にチケット搬送装置５０が配置されている。
チケット搬送装置５０は、ニップ搬送装置１９から送られるチケット１５を処理装置２０に搬送する機能を有している。
【００２８】
すなわち、シャフト３３とほぼ平行にシャフト５１がベース２３に固定されており、ベルト溝５２，５３を形成したローラ５４が回転自在に支持されている。
ニップローラ２２のベルト溝３４、３５とローラ５４のベルト溝５２、５３のそれぞれに搬送ベルトである丸ベルト５５、５６が巻きかけられている。
したがって、保持ベルト２１とニップローラ２２との間から送り出されたチケット１５は、丸ベルト５５、５６によって処理装置２０に向かって下方へ搬送される。
【００２９】
しかし、チケット１５は、ニップ搬送装置１９によって積極的に送り出されるので、搬送装置５０に代えて処理装置２０に案内するガイドに変更することができる。
丸ベルト５５、５６の搬送経路に沿って処理装置２０が配置されている。
本実施例において処理装置２０は、検知センサ５７と損傷装置５８である。
【００３０】
しかし、処理装置２０は、検知センサ５７或いは損傷装置５８どちらか一方のみであってもよい。
また、損傷装置５８は、チケットを縦長方向に切断分離するカッターであってもよい。
検知センサ５７は、チケット１５のカウント用の信号を得る機能を有している。
すなわち、丸ベルト５５、５６の一側にベース２３に固定した投光器５９を配置し、これに対向して他側に受光器６０を配置してあり、投光器５９からの投光はチケット１５の孔１７を透過して受光器６０で受光される。
【００３１】
損傷装置５８は、チケット１５を切断することなく少なくともその表面を損傷し、処理装置２０を通過したチケットであることが目視で明らかになるようにする機能を有する。
損傷装置５８は間歇損傷装置６１であることが好ましい。
【００３２】
すなわち、間歇損傷装置６１は、チケット１５に間隔をおいて切れ目などを入れることにより、処理装置２０を通過したことを目視確認できるようにするとともに、チケット１５が分離しないように損傷する。
間歇損傷装置６１は、一対のローター６２、６３を有する。
ローター６２は、丸ベルト５５、５６の外側に配置にされ、ベース２３に固定された回転軸６４にその長手方向に所定の間隔で固定された二つの三角形の損傷板６５，６６を有する。
【００３３】
損傷板６５、６６は、三つの頂部６７を弧状縁６８で接続され、側面に固定した軸受７１、７２にスクリュウ７３をねじ込むことにより、回転軸６４にそれぞれ固定されている。したがって、スクリュウ７３を弛めることにより、損傷板６５と６６の位相を変更することができ、また、交換することもできる。
【００３４】
損傷板６５、６６は、搬送ベルト５５と５６との間に位置している。
搬送ベルト５５、５６の内側にローター６２と同構造のローター６３が配置されている。ローター６３の損傷板７４、７５は、損傷板６５、６６に対してずらして配置してあり、弧状縁７６は、相対する弧状縁６８に対し図４に示すようにオーバーラップするように配置されている。
【００３５】
したがって、三角形の頂部６７と頂部７７がオーバーラップするとき、最もオーバーラップ量が大きくなる。
次に駆動装置８０を説明する。
減速機８１付きのモーター８２がベース２３に固定されている。
減速機８１の出力軸８３にギヤ８４が固定され、シャフト２５に固定されたギヤ４７と回転軸６４に固定されたギヤ８５に噛み合っている。
【００３６】
ギヤ４７は、シャフト．３３に固定されたギヤ４８と噛み合っており、それらの伝達比は１対１である。
ギヤ８５は、軸８６に固定したギヤ８７に噛み合っており、その伝達比は１対１である。
ギヤ８４が図５において時計方向に回転するとき、ギヤ４７は反時計方向に回転され、ベルト２１が反時計方向に循環する。
【００３７】
ギヤ４８はギヤ４７によって時計方向へベルト２１と同一の速度で回転される。
同時に、ギヤ８５が反時計方向へ、また、ギヤ８７が時計方向へ回転される。
したがって、損傷板６２、６３と７４、７５がチケット１５を挟んで下方へ引き下げるように回転する。
保持ベルト２１及びニップローラー２２の周速度と損傷板６５、６６、７４、７５の周速度比は、損傷板の方が大きい。
【００３８】
ギヤ８４と８５の伝達比は約３対２であり、結果としてローター６２と６３は、保持ベルト２１及びニップローラ２２の周速度よりも速度が僅かに大きい。
したがって、損傷板６５、６６及び７４、７５の頂部６７、７７は、保持ベルト２１とニップローラ２２とに挟まれて保持されているチケット１５を引っ掻き、スリット状の孔を空けたり、突条の引っ掻き疵を作る。
【００３９】
しかし、前記のように周速度差が小さいので、間隔を置いてスリット状の孔等が形成される、換言すれば、間欠的にチケット１５が損傷される。
ニップ搬送装置１９とローター６２、６３の回転比が大きすぎる場合、頂部６７、７７による損傷が連続して形成され、その損傷がスリット状の孔の場合、チケット１５が切断分離されることがある。
また、速度差が小さい場合、チケット１５を十分に損傷できないことがある。
【００３９】
次に本実施例の作用を説明する。
利用者は、チケット１５を挿入口３に挿入して押し込めないところまで押し込む。このときチケット１５は、保持ベルト２１とニップローラ２２との接触部に進行を阻止された状態である。
【００４０】
この後、スタートボタン４を押すとモータ８２が回転して前述のように保持ベルト２１とニップローラ２２が回転するので、チケット１５は、それらの間に挟まれて処理装置２０側へ引き込まれる。
保持ベルト２１とニップローラー２２との圧接部を出たチケット１５は、搬送ベルト５５および５６の進行とともにそれに沿って下方へ送られる。
一枚のチケット１５の後端部が保持ベルト２１とニップローラー２２との間に挟まれている間に、損傷板６５、６６、と７４、７５との間に引き込まれる。
【００４１】
チケット１５はこれら損傷板によって断面波形に変形され、頂部６７と７７との間に挟まれたときに、さらに曲げられて、それら頂部６７と７７がチケット１５を突き破り、スリット状の損傷部を形成する。
それら頂部６７、７７は、等間隔で３個形成されているので、前記損傷部は間歇的に形成される。
したがって、チケット１５は縦方向に切断分割されることはない。
チケット１５が連続しているとき、この処理が連続的に行われる。
【００４２】
また、チケット１５が投光器５９からの光を遮った後、孔１７を通って受光器６０で受光するので、図外の電気回路で受光器６０の受光信号を利用してチケット１５の数をカウントし、表示装置５に表示する。
所定時間受光が継続した場合、チケット１５がなくなったものと判別し、カウント結果を図外のプリンタでプリントして払い出し口６から払い出すと共にモーター８２を停止する。
【００４３】
処理装置２０を通過したチケット１５は、ガイドによって案内され、搬送装置１１によって搬送され、案内パイプ７内に落下して排出される。
搬送装置５０は、ベルトに替えてローラーで挟んで搬送することができる。
【００４４】
【図面の簡単な説明】
【図１】図１は、実施例のチケット処理装置を内蔵したチケットカウンタの全体斜視図である。
【図２】図２は、図１のチケットカウンタの断面図である。
【図３】図３は、実施例のチケット処理装置の斜視図である。
【図４】図４は、実施例のチケット処理装置のブラケット等を取り外した斜視図である。
【図５】図４は、実施例のチケット処理装置のブラケット等を取り外した右側面図である。
図５は、実施例の図４におけるＡ―Ａ線断面図である。
【図６】図６は、実施例のチケット処理装置の左側面図である。
【符号の説明】
３　　　　　受け入れ口
１５　　　　チケット
１９　　　　ニップ搬送装置
２０　　　　処理装置
２１　　　　保持ベルト
２２　　　　ニップローラ
２６、１７　　ローラ
５０　　　　搬送装置
６１　　　　間歇損傷装置
６２、６３　　ローター
５７　　　　センサ
【図１】
2004133818.tif 000003
【図２】
2004133818.tif 000004
【図３】
2004133818.tif 000005
【図４】
2004133818.tif 000006
【図５】
2004133818.tif 000007
【図６】
2004133818.tif 000008